(57)【要約】【課題】  地震の発生を検知し、地震に対する処理を行なう表示装置を提供する。【解決手段】  表示装置１０において、加速度センサ８は、表示装置１０に印加される加速度を検出し、その検出した加速度をマイコン５へ出力する。スイッチ１１は、表示装置１０が机等に設置されると、Ｈレベルの信号を出力する。マイコン５は、スイッチ１１からＨレベルの信号を受信しているときに、加速度センサ８からの加速度が所定時間の間にレベルＬＶ１またはＬＶ２を超えたとき、地震が発生したと判定する。そして、マイコン５は、加速度がレベルＬＶ１を超え、かつ、レベルＬＶ２を超えないとき、地震が発生したことを示す警告信号をスクリーン上へ表示し、加速度がレベルＬＶ２を超えたとき、液晶パネル／光源部６の光源を直ぐに消灯する。【選択図】        図１
2006284626.tif 000002
【特許請求の範囲】
【請求項１】
入力映像信号に基づいて形成された液晶パネル上の画像を前記液晶パネルへの照射光に基づいてスクリーン上に拡大表示する表示装置であって、
前記照射光を前記液晶パネルに照射する光源と、
当該表示装置の加速度を検出する加速度検出手段と、
前記加速度検出手段によって検出された加速度に基づいて当該表示装置の傾斜角を検出し、その検出した傾斜角に基づいて台形歪を補正する歪補正手段と、
当該表示装置の設置が完了すると、前記加速度検出手段によって検出された加速度に基づいて地震が発生したか否かを判定する地震判定手段と、
前記地震判定手段による判定結果に基づいて前記地震に対する処理を行なう処理手段とを備える表示装置。
【請求項２】
前記地震判定手段は、前記加速度検出手段によって検出された加速度が所定時間の間に基準値を超えたとき地震が発生したと判定する、請求項１に記載の表示装置。
【請求項３】
前記地震判定手段は、前記加速度検出手段によって検出された加速度のうち重力方向の加速度が前記所定時間の間に前記基準値を超えたとき地震が発生したと判定する、請求項１に記載の表示装置。
【請求項４】
前記地震判定手段は、前記加速度検出手段によって検出された加速度のうち重力方向の加速度が前記所定時間の間に前記基準値を超え、かつ、前記加速度検出手段によって検出された加速度のうち前記重力方向と略垂直な方向の加速度が前記所定時間の間に前記基準値を超えたとき、地震が発生したと判定する、請求項１に記載の表示装置。
【請求項５】
前記基準値は、第１の基準値と前記第１の基準値よりもレベルが高い第２の基準値とからなり、
前記地震判定手段は、前記加速度検出手段によって検出された加速度が前記所定時間の間に前記第１の基準値を超え、かつ、前記第２の基準値を超えないとき第１のレベルの地震が発生したと判定し、前記加速度検出手段によって検出された加速度が前記所定時間の間に前記第２の基準値を超えたとき第２のレベルの地震が発生したと判定し、
前記処理手段は、前記地震判定手段により記第１のレベルの地震が発生したと判定されると、警告信号を前記スクリーン上に表示し、前記地震判定手段により前記第２のレベルの地震が発生したと判定されると、前記光源をオフする、請求項２から請求項４のいずれか１項に記載の表示装置。
【請求項６】
前記地震判定手段により地震が発生したと判定されると、当該表示装置を停止するか否かを判定する停止判定手段をさらに備え、
前記処理手段は、前記停止判定手段により当該表示装置を停止すると判定されたとき、前記光源をオフする、請求項５に記載の表示装置。
【請求項７】
当該表示装置の内部を冷却する冷却手段と、
前記地震判定手段により前記第１のレベルの地震が発生したと判定されると、前記加速度検出手段によって検出された加速度に基づいて、前記画像を前記照射光によって前記スクリーン上に投射するときの投射光軸方向に対する当該表示装置の傾斜角を演算し、その演算した傾斜角に応じて前記冷却手段の冷却能力を制御する冷却制御手段とをさらに備える、請求項５に記載の表示装置。
【請求項８】
前記冷却制御手段は、前記傾斜角が標準角度範囲であるとき、第１の冷却能力で冷却するように前記冷却手段を制御し、前記傾斜角が前記標準角度範囲を超えて打ち上げ角が大きくなると、前記第１の冷却能力よりも強い第２の冷却能力で冷却するように前記冷却手段を制御し、前記傾斜角が前記標準角度範囲を超えて打ち下げ角が大きくなると、前記第１の冷却能力よりも弱い第３の冷却能力で冷却するように前記冷却手段を制御する、請求項７に記載の表示装置。
【請求項９】
当該表示装置の設置が完了したか否かを判定する設置判定手段をさらに備え、
前記地震判定手段は、前記設置判定手段によって当該表示装置の設置が完了したと判定されると、前記加速度に基づいて地震が発生したか否かを判定する、請求項１から請求項８のいずれか１項に記載の表示装置。
【請求項１０】
前記設置判定手段は、
当該表示装置が設置されるとオンされるスイッチと、
前記スイッチからの信号に基づいて当該表示装置の設置が完了したか否かを判定する判定手段とを含み、
前記判定手段は、前記スイッチがオフされている時間が基準時間以下であるとき、当該表示装置の設置が完了したと判定し、前記スイッチがオフされている時間が前記基準時間を越えたとき、当該表示装置が移動中であると判定する、請求項９に記載の表示装置。
【請求項１１】
前記加速度検出手段は、加速度センサからなる、請求項１から請求項１０のいずれか１項に記載の表示装置。
【発明の詳細な説明】
【技術分野】
【０００１】
この発明は、表示装置に関し、特に、地震を検出するとともに、その地震に対する対処を行なう表示装置に関するものである。
【背景技術】
【０００２】
従来より、プロジェクター装置が異常状態になったとき、プロジェクター装置の動作を制御する種々の方法が提案されている。たとえば、プロジェクター装置内部の個々の照明ランプ、冷却装置および液晶パネル等の表示装置等に対して温度センサを設け、これらの部品が加熱破損または過熱劣化しているか否かをモニタし、異常を検出した場合、供給電力を抑えて過熱を抑制する技術が提案されている（特許文献１）。
【０００３】
また、照明ランプおよび電源装置の異常を検出して異常であることを表示する技術が知られている（特許文献２）。
【０００４】
さらに、プロジェクター装置の姿勢を検出するセンサを設け、このセンサからの出力値の変化が所定値以上になることが所定時間以上継続したか否かを判定し、その判定結果に応じて光源を制御する技術が知られている（特許文献３）。
【特許文献１】特開平９−１５２５７５号公報
【特許文献２】特開平１１−１１２９１２号公報
【特許文献３】特開２００２−２６８１４２号公報
【発明の開示】
【発明が解決しようとする課題】
【０００５】
地震が発生した場合、建物が倒壊し、過重な力が加わることにより、プロジェクターが破損する可能性がある。したがって、地震を検知し、地震に対する対処を行なう必要があるが、従来の技術では、地震の発生を検知し、地震に対する対処を行なうことが困難であるという問題がある。
【０００６】
そこで、この発明は、かかる問題を解決するためになされたものであり、その目的は、地震の発生を検知し、地震に対する処理を行なう表示装置を提供することである。
【課題を解決するための手段】
【０００７】
この発明によれば、表示装置は、入力映像信号に基づいて形成された液晶パネル上の画像を液晶パネルへの照射光に基づいてスクリーン上に拡大表示する表示装置であって、光源と、加速度検出手段と、歪補正手段と、地震判定手段と、処理手段とを備える。光源は、照射光を液晶パネルに照射する。加速度検出手段は、当該表示装置の加速度を検出する。歪補正手段は、加速度検出手段によって検出された加速度に基づいて当該表示装置の傾斜角を検出し、その検出した傾斜角に基づいて台形歪を補正する。地震判定手段は、当該表示装置の設置が完了すると、加速度検出手段によって検出された加速度に基づいて地震が発生したか否かを判定する。処理手段は、地震判定手段による判定結果に基づいて地震に対する処理を行なう。
【０００８】
好ましくは、地震判定手段は、加速度検出手段によって検出された加速度が所定時間の間に基準値を超えたとき地震が発生したと判定する。
【０００９】
好ましくは、地震判定手段は、加速度検出手段によって検出された加速度のうち重力方向の加速度が所定時間の間に基準値を超えたとき地震が発生したと判定する。
【００１０】
好ましくは、地震判定手段は、加速度検出手段によって検出された加速度のうち重力方向の加速度が所定時間の間に基準値を超え、かつ、加速度検出手段によって検出された加速度のうち重力方向と略垂直な方向の加速度が所定時間の間に基準値を超えたとき、地震が発生したと判定する。
【００１１】
好ましくは、基準値は、第１の基準値と第１の基準値よりもレベルが高い第２の基準値とからなる。そして、地震判定手段は、加速度検出手段によって検出された加速度が所定時間の間に第１の基準値を超え、かつ、第２の基準値を超えないとき第１のレベルの地震が発生したと判定し、加速度検出手段によって検出された加速度が所定時間の間に第２の基準値を超えたとき第２のレベルの地震が発生したと判定する。処理手段は、地震判定手段により記第１のレベルの地震が発生したと判定されると、警告信号をスクリーン上に表示し、地震判定手段により第２のレベルの地震が発生したと判定されると、光源をオフする。
【００１２】
好ましくは、表示装置は、停止判定手段をさらに備える。停止判定手段は、地震判定手段により地震が発生したと判定されると、当該表示装置を停止するか否かを判定する。処理手段は、停止判定手段により当該表示装置を停止すると判定されたとき、光源をオフする。
【００１３】
好ましくは、表示装置は、冷却手段と、冷却制御手段とをさらに備える。冷却手段は、当該表示装置の内部を冷却する。冷却制御手段は、地震判定手段により第１のレベルの地震が発生したと判定されると、加速度検出手段によって検出された加速度に基づいて、画像を照射光によってスクリーン上に投射するときの投射光軸方向に対する当該表示装置の傾斜角を演算し、その演算した傾斜角に応じて冷却手段の冷却能力を制御する。
【００１４】
好ましくは、冷却制御手段は、傾斜角が標準角度範囲であるとき、第１の冷却能力で冷却するように冷却手段を制御し、傾斜角が標準角度範囲を超えて打ち上げ角が大きくなると、第１の冷却能力よりも強い第２の冷却能力で冷却するように前記冷却手段を制御し、傾斜角が標準角度範囲を超えて打ち下げ角が大きくなると、第１の冷却能力よりも弱い第３の冷却能力で冷却するように冷却手段を制御する。
【００１５】
好ましくは、表示装置は、設置判定手段をさらに備える。設置判定手段は、当該表示装置の設置が完了したか否かを判定する。そして、地震判定手段は、設置判定手段によって当該表示装置の設置が完了したと判定されると、加速度に基づいて地震が発生したか否かを判定する。
【００１６】
好ましくは、設置判定手段は、当該表示装置が設置されるとオンされるスイッチと、スイッチからの信号に基づいて当該表示装置の設置が完了したか否かを判定する判定手段とを含む。そして、判定手段は、スイッチがオフされている時間が基準時間以下であるとき、当該表示装置の設置が完了したと判定し、スイッチがオフされている時間が基準時間を越えたとき、当該表示装置が移動中であると判定する。
【００１７】
好ましくは、加速度検出手段は、加速度センサからなる。
【発明の効果】
【００１８】
この発明による表示装置においては、加速度検出手段によって検出された加速度に基づいて、画像の台形歪を補正するための傾斜角が検出されるとともに、地震が発生したか否かが判定される。そして、地震が発生したと判定されると、その地震に対する処理が行なわれる。
【００１９】
したがって、この発明によれば、地震を検知し、その検知した地震に対する処理を行なうことができる。
【発明を実施するための最良の形態】
【００２０】
本発明の実施の形態について図面を参照しながら詳細に説明する。なお、図中同一または相当部分には同一符号を付してその説明は繰返さない。
【００２１】
図１は、この発明の実施の形態による表示装置の概略ブロック図である。図１を参照して、この発明の実施の形態による表示装置１０は、入力端子１と、ＡＤＣ（Ａｎａｌｏｇ  Ｄｉｇｉｔａｌ  Ｃｏｎｖｅｒｔｅｒ）回路２と、映像信号処理回路３と、ドライバ４と、マイクロコンピュータ（以下、「マイコン」という）５と、液晶パネル／光源部６と、光学系７と、加速度センサ８と、ファン９と、スイッチ１１，１２とを備える。
【００２２】
入力端子１は、ビデオおよびパーソナルコンピュータ等からアナログ信号からなる映像信号を受けるための端子である。ＡＤＣ回路２は、入力端子１から受けた映像信号をアナログ信号からデジタル信号に変換し、その変換した映像信号を映像信号処理回路３へ出力する。
【００２３】
映像信号処理回路３は、マイコン５からの命令によって映像信号の画角を変換し、その変換した映像信号をドライバ４へ出力する。より具体的には、映像信号処理回路３は、マイコン５からの命令によって映像信号の台形歪補正を行ない、その補正を行なった映像信号をドライバ４へ出力する。
【００２４】
ドライバ４は、映像信号処理回路３から受けた映像信号をデジタル信号からアナログ信号に変換するとともに、その変換した映像信号を液晶パネル／光源部６へ出力し、映像信号に基づく画像を液晶パネル／光源部６の液晶パネルに表示する。
【００２５】
液晶パネル／光源部６は、液晶パネルの背面に存在する光源から出射された照射光により、液晶パネルに表示された画像を投射する。光学系７は、液晶パネル／光源部６からの投射光を変倍してスクリーン（図示せず）上に画像を投射する。
【００２６】
加速度センサ８は、表示装置１０の加速度を検出し、その検出した加速度をマイコン５へ出力する。ファン９は、マイコン５からの命令によって指定された冷却能力で、液晶パネル／光源部６に含まれる光源等の表示装置１０の内部を冷却する。
【００２７】
スイッチ１１は、表示装置１１が机等に設置されたときオンされ、表示装置１１が机等に設置されないときオフされる。そして、スイッチ１１は、オンされたときＨ（論理ハイ）レベルの信号をマイコン５へ出力し、オフされたときＬ（論理ロー）レベルの信号をマイコン５へ出力する。
【００２８】
スイッチ１２は、地震を検知したときに表示装置１０を停止する停止処理をキャンセルするか否かを表示装置１０に入力するためのスイッチである。そして、スイッチ１２は、オンされたとき、表示装置１０の停止処理をキャンセルすることを示すＨレベルの信号ＣＡＮをマイコン５へ出力し、オフされたとき、表示装置１０の停止処理をキャンセルしないことを示すＬレベルの信号ＣＡＮをマイコン５へ出力する。
【００２９】
マイコン５は、加速度センサ８からの加速度に基づいて、表示装置１０の傾斜角を検出し、その検出した傾斜角に基づいて台形歪補正を行なうための命令を映像信号処理回路３へ出力する。
【００３０】
また、マイコン５は、加速度センサ８からの加速度と、スイッチ１１からの信号とに基づいて、後述する方法によって地震が発生しているか否かを判定し、その判定結果に応じて後述するように地震に対する各種の処理を行なう。
【００３１】
さらに、マイコン５は、スイッチ１２からのＨレベルまたはＬレベルの信号ＣＡＮによって、地震に対する処理を停止するか否かを判定し、その判定結果に応じて地震に対する処理を続行し、または地震に対する処理を停止する。
【００３２】
図２は、図１に示す液晶パネル／光源部６の概略図である。図２を参照して、液晶パネル／光源部６は、光源６１と、電源６２と、光分離部６３と、液晶パネル６４〜６６と、光結合部６７とを含む。光源６１は、電源６２により点灯されると、白色光を光分離部６３に出射する。
【００３３】
電源６２は、マイコン５によりオン／オフされる。そして、電源６２は、マイコン５によりオンされると、光源６１を点灯する。
【００３４】
光分離部６３は、光源６１からの白色光を赤色の光ＬＴ１、緑色の光ＬＴ２および青色の光ＬＴ３に分離し、その分離した赤色の光ＬＴ１、緑色の光ＬＴ２および青色の光ＬＴ３をそれぞれ液晶パネル６４〜６６へ導く。
【００３５】
液晶パネル６４〜６６の各々は、ドライバ４から映像信号を受け、その受けた映像信号に基づく画像を表面に表示する。そして、液晶パネル６４は、その表示した画像を光分離部６３からの赤色の光ＬＴ１によって投射し、その投射した赤色の投射光を光結合部６７へ導く。また、液晶パネル６５は、表面に表示した画像を光分離部６３からの緑色の光ＬＴ２によって投射し、その投射した緑色の投射光を光結合部６７へ導く。さらに、液晶パネル６６は、表面に表示した画像を光分離部６３からの青色の光ＬＴ３によって投射し、その投射した青色の投射光を光結合部６７へ導く。
【００３６】
光結合部６７は、液晶パネル６４〜６６からそれぞれ赤色の投射光、緑色の投射光および青色の投射光を受け、その受けた赤色の投射光、緑色の投射光および青色の投射光を結合して光学系７へ導く。
【００３７】
図３は、図１に示す加速度センサ８によって検出される加速度の方向を示す図である。図３を参照して、加速度センサ８は、Ｙ軸が投射光軸方向になり、Ｚ軸が重力方向になり、Ｘ軸が投射光軸方向および重力方向に垂直な方向になるように設置される。
【００３８】
そして、加速度センサ８は、Ｘ軸方向、Ｙ軸方向およびＺ軸方向の加速度を検出し、その検出した加速度をマイコン５へ出力する。
【００３９】
図４は、図１に示す表示装置１０が設置された状態を示す図である。図４を参照して、表示装置１０は、机面２０に対して打ち上げ角がθになるように設置される。なお、打ち上げ角とは、表示装置１０から出射される投射光が机面２０の面内方向と平行な方向よりも上側へ進行する場合に投射光が机面２０の面内方向と平行な方向と成す角度である。そして、打ち上げ角θは、通常、３０度に設定される。
【００４０】
加速度センサ８は、表示装置１０の内部のほぼ中央部に設置される。スイッチ１１は、表示装置１０の裏面１０Ａに設けられる。そして、スイッチ１１は、表示装置１０が机面２０に設置されるとオンされ、表示装置１０が机面２０から離されるとオフされる。スイッチ１２は、表示装置１０の裏面１０Ａと反対の上面１０Ｂに設けられ、表示装置１０の操作者によってオン／オフされる。
【００４１】
打ち上げ角θが３０度である場合、Ｚ軸方向の加速度は、９．８ｍ／ｓ２×ｃｏｓ３０≒８．４ｍ／ｓ２になり、Ｘ軸方向およびＹ軸方向の加速度は、０ｍ／ｓ２である。したがって、加速度センサ８は、表示装置１０が通常の状態で机面２０上に設置されている定常状態では、Ｘ軸方向の加速度＝０ｍ／ｓ２、Ｙ軸方向の加速度＝０ｍ／ｓ２、Ｚ軸方向の加速度＝８．４ｍ／ｓ２をマイコン５へ出力する。
【００４２】
図５は、地震の発生を検知する方法を説明するための図である。図５において、レベルＬＶ０は、基底レベルを表し、上述したＸ軸方向の加速度＝０ｍ／ｓ２、Ｙ軸方向の加速度＝０ｍ／ｓ２、Ｚ軸方向の加速度＝８．４ｍ／ｓ２からなる。
【００４３】
また、レベルＬＶ１は、地震が発生したことを検知し、地震が発生したことを警告する警告信号を発生するレベルであり、レベルＬＶ２は、地震が発生したことを検知し、光源６１を消灯するレベルである。
【００４４】
マイコン５は、Ｘ軸方向の加速度＝０ｍ／ｓ２、Ｙ軸方向の加速度＝０ｍ／ｓ２、Ｚ軸方向の加速度＝８．４ｍ／ｓ２からなる基底レベルを保持している。図５の領域ＲＧＥ１に示すように、加速度センサ８からの加速度がレベルＬＶ１を超え、かつ、レベルＬＶ２を超えないとき、マイコン５は、地震を検知し、警告をスクリーン上に表示する。
【００４５】
図５において、波形ＷＶ１は、地震波のＰ波を表し、波形ＷＶ２は、地震波のＳ波を表す。Ｐ波は、Ｚ軸方向の振動であり、Ｓ波は、Ｘ軸方向の振動およびＹ軸方向の振動の合成である。そして、地震波は、通常、Ｐ波がＳ波よりも先に到達する。
【００４６】
したがって、マイコン５は、加速度センサ８からのＺ軸方向の加速度がレベルＬＶ１を超えたことを最初に検知し、その後、加速度センサ８からのＸ軸方向の加速度およびＹ軸方向の加速度の合成加速度がレベルＬＶ１を超えたことを検知する。
【００４７】
そうすると、マイコン５は、地震が発生したことを知らせる内容からなる警告信号を生成して映像信号処理回路３へ出力する。そして、映像信号処理回路３は、マイコン５からの警告信号の内容をＡＤＣ回路２からの映像信号に重畳してドライバ４へ出力する。これにより、地震が発生したことを知らせる内容がスクリーン上に表示される。
【００４８】
この場合、表示装置１０の操作者は、スクリーン上に表示された警告内容を見て、表示装置１０を停止する停止処理を実行するとき、スイッチ１２をオンし、停止処理を実行しないとき、スイッチ１２をオンしない。
【００４９】
そして、マイコン５は、スイッチ１２がオンされたとき、スイッチ１２からＨレベルの信号ＣＡＮを受け、その受けたＨレベルの信号ＣＡＮに応じて光源６１の電源６２をオフする。これにより、光源６１は、消灯される。また、マイコン５は、スイッチ１２がオンされないとき、スイッチ１２からＬレベルの信号ＣＡＮを受け、その受けたＬレベルの信号ＣＡＮに応じて表示装置１０の通常の動作を継続する。
【００５０】
マイコン５は、レベルＬＶ１からレベルＬＶ２までの範囲の加速度を加速度センサ８から受けたとき、その受けた加速度に基づいて表示装置１０の傾斜角を演算し、その演算した傾斜角に応じてファン９の冷却能力を決定する。そして、マイコン５は、その決定した冷却能力で光源６１等を冷却するようにファン９を制御する。
【００５１】
より具体的には、マイコン５は、加速度センサ８からの加速度に基づいて演算した傾斜角が−４５度〜＋４５度の範囲であるとき、地震が発生していない正常時の冷却能力で冷却するようにファン９を制御する。
【００５２】
なお、＋４５度は、打ち上げ角が４５度であることを意味し、−４５度は、打ち下げ角が４５度であることを意味する。そして、打ち下げ角とは、図４に示す投射光Ｌが机面２０の面内方向と平行な方向よりも下側へ進行する場合に投射光Ｌが机面２０の面内方向と平行な方向と成す角度である。
【００５３】
また、マイコン５は、演算した傾斜角が＋４５度よりも大きいとき、通常の冷却能力の約１．０８３倍の冷却能力で光源６１等を冷却するようにファン９を制御する。
【００５４】
さらに、マイコン５は、演算した傾斜角が−４５度よりも小さいとき、通常の冷却能力の約０．７４倍の冷却能力で光源６１等を冷却するようにファン９を制御する。
【００５５】
このように、マイコン５は、打ち上げ角が通常の範囲（−４５度〜＋４５度の範囲）を超えて大きくなったとき、冷却能力を高くして光源６１等を冷却するようにファン９を制御し、打ち下げ角が通常の範囲（−４５度〜＋４５度の範囲）を超えて大きくなったとき、冷却能力を低くして光源６１等を冷却するようにファン９を制御する。
【００５６】
表示装置１０の打ち上げ角が＋４５度よりも大きくなると、表示装置１０の内部の空気の流れが悪くなり、表示装置１０の内部の温度が正常時よりも上昇し易くなるので、ファン９の冷却能力を高くすることにしたものである。
【００５７】
また、表示装置１０の打ち下げ角が−４５度を超えて大きくなったとき、表示装置１０の内部の空気の流れが正常時よりも良くなるので、ファン９の冷却能力を低くすることにしたものである。
【００５８】
上述したように、マイコン５は、加速度センサ８からの加速度がレベルＬＶ１のみを超えたとき、光源６１を直ぐに消灯せずに表示装置１０の内部温度が大きく変化しないように制御する。
【００５９】
次に、図５の領域ＲＧＥ２に示すように、加速度センサ８からの加速度がレベルＬＶ２を超えたとき、マイコン５は、地震が発生したことを検知し、直ぐに光源６１の電源６２をオフする。
【００６０】
図５において、波形ＷＶ３は、地震波のＰ波を表し、波形ＷＶ４は、地震波のＳ波を表す。したがって、マイコン５は、加速度センサ８からのＺ軸方向の加速度がレベルＬＶ２を超えたことを最初に検知し、その後、加速度センサ８からのＸ軸方向の加速度およびＹ軸方向の加速度の合成加速度がレベルＬＶ２を超えたことを検知する。
【００６１】
この発明においては、マイコン５は、Ｚ軸方向の加速度がレベルＬＶ１またはレベルＬＶ２を超えたことを検出して地震が発生したことを検知してもよいが、Ｚ軸方向の加速度がレベルＬＶ１またはレベルＬＶ２を超え、かつ、Ｘ軸方向の加速度とＹ軸方向の加速度の合成加速度がレベルＬＶ１またはレベルＬＶ２を超えたことを検出して地震の発生を検知するようにしてもよい。
【００６２】
地震の振動は、約１Ｈｚ〜１０Ｈｚ程度の周波数を持っている。したがって、マイコン５は、加速度センサ８からの加速度がレベルＬＶ１またはレベルＬＶ２を連続して０．１秒〜１０秒の間、超えているとき、地震が発生したことを検知するようにしてもよい。
【００６３】
図６は、図１に示す表示装置１０における動作を説明するためのフローチャートである。一連の動作が開始されると、マイコン５は、電源６２がオンされ、光源６１が点灯したか否かを判定する（ステップＳ１）。そして、光源６１が点灯されると、マイコン５は、所定時間が経過したか否かを判定する（ステップＳ２）。
【００６４】
所定時間が経過すると、マイコン５は、加速度センサ８からの加速度に基づいて表示装置１０の傾斜角を演算し、その演算した傾斜角に基づいて台形歪補正の補正量を決定し、台形歪補正を行なうための命令を映像信号処理回路３へ出力する。
【００６５】
映像信号庶処理回路３は、マイコン５からの命令に基づいて、ＡＤＣ回路２から受けた映像信号に台形歪補正を施し、台形歪補正後の映像信号をドライバ４へ出力する。ドライバ４は、映像信号処理回路３からの映像信号をデジタル信号からアナログ信号に変換して液晶パネル／光源部６へ出力する。
【００６６】
そして、液晶パネル／光源部６は、上述した方法によって、映像信号による画像を光学系７を介してスクリーン上に表示する。これにより、台形歪補正がされた画像がスクリーン上に表示される（ステップＳ３）。
【００６７】
その後、マイコン５は、スイッチ１１（＝設置センサー）がオフされている時間が基準時間Ａを超えたか否かを判定する（ステップＳ４）。スイッチ１１がオフされている時間が基準時間Ａを超えているときは、表示装置１０が机面２０等に設置されていないことを意味するので、マイコン５は、ステップＳ４において、スイッチ１１がオフされている時間が基準時間Ａを超えていると判定したとき、表示装置１０が移動中であると認識し、加速度センサ８からの加速度に基づいて、地震が発生したか否かを判定しない。
【００６８】
そして、ステップＳ４において、スイッチ１１がオフされている時間が基準時間Ａを超えていないと判定されたとき、すなわち、表示装置１０が机面２０等に設置されたと判定されたとき、マイコン５は、加速度センサ８からの加速度に基づいて、地震が発生したか否かを判定する。
【００６９】
すなわち、マイコン５は、加速度センサ８からの加速度がレベルＬＶ２を超えたか否かを判定し（ステップＳ５）、加速度がレベルＬＶ２を超えていないとき、さらに、加速度がレベルＬＶ１を超えたか否かを判定する（ステップＳ６）。
【００７０】
そして、ステップＳ６において、加速度がレベルＬＶ１を超えていないと判定されたとき、一連の動作は、ステップＳ３へ移行し、上述したステップＳ３〜ステップＳ６が繰り返し実行される。
【００７１】
一方、ステップＳ６において、加速度がレベルＬＶ１を超えていると判定されたとき、マイコン５は、上述した方法によって、警告信号を映像信号処理回路３へ出力し、スクリーン上（Ｏｎ  Ｓｃｒｅｅｎ  Ｄｉｓｐｌａｙ）で警告を表示する（ステップＳ７）。
【００７２】
ステップＳ７の後、マイコン５は、スイッチ１２からＨレベルの信号ＣＡＮおよびＬレベルの信号ＣＡＮのいずれを受けたか否かを判定することにより、地震時に表示装置１０を停止する停止処理がキャンセルされたか否かを判定する（ステップＳ８）。
【００７３】
この場合、マイコン５は、スイッチ１２からＨレベルの信号を受けると、停止処理がキャンセルされたと判定し、スイッチ１２からＬレベルの信号ＣＡＮを受けると、停止処理がキャンセルされなかったと判定する。
【００７４】
そして、ステップＳ８において、停止処理がキャンセルされたと判定されたとき、一連の動作は、ステップＳ３へ移行し、上述したステップＳ３〜ステップＳ８が繰り返し実行される。
【００７５】
一方、ステップＳ８において、停止処理がキャンセルされなかったと判定されたとき、一連の動作は、ステップＳ９へ移行する。
【００７６】
そして、マイコン５は、ステップＳ５において、加速度がレベルＬＶ２を超えたと判定したとき、またはステップＳ８において、表示装置１０の停止処理がキャンセルされなかったと判定されたとき、電源６２をオフし、光源６１を消灯する（ステップＳ９）。
【００７７】
これにより、一連の動作は、終了する。
【００７８】
上述したように、この発明においては、加速度センサ８により検出された加速度に基づいて、地震の発生が発生したか否かを判定し、その判定結果に応じて、地震に処理を行なう（ステップＳ５，Ｓ６，Ｓ７，Ｓ９参照）。したがって、地震の発生を検知し、地震に対する処理を行なうことができる。
【００７９】
また、この発明においては、加速度センサ８により検出された加速度を表示装置１０の傾斜角の検出と、地震の発生の検出とに用いることにより、特に、部品を追加させることなく、地震の発生を検知し、地震に対する処理を行なうことができる。
【００８０】
なお、加速度を検出する加速度センサ８は、「加速度検出手段」を構成する。
【００８１】
また、加速度センサ８によって検出された加速度に基づいて地震が発生したか否かを判定するマイコン５は、「地震判定手段」を構成する。
【００８２】
さらに、加速度センサ８によって検出された加速度に基づいて表示装置１０の傾斜角を検出し、その検出した傾斜角に基づいて台形歪を補正するための画角を決定して映像信号処理回路３へ出力するマイコン５と、マイコン５からの画角に基づいて台形歪補正を行なう映像信号処理回路３とは、「歪補正手段」を構成する。
【００８３】
さらに、ＨレベルまたはＬレベルの信号をマイコン５へ出力するスイッチ１１およびスイッチ１１からの信号によって表示装置１０の設置が完了したか否かを判定するマイコン５は、「設置判定手段」を構成する。
【００８４】
さらに、ＨレベルまたはＬレベルの信号をマイコン５へ出力するスイッチ１２およびスイッチ１１からの信号によって地震に対する処理を停止するか否かを判定するマイコン５は、「停止判定手段」を構成する。
【００８５】
さらに、地震に対する処理を行なうマイコン５は、「処理手段」を構成する。
【００８６】
ファン９は、「冷却手段」を構成する。
【００８７】
ファンを制御するマイコン５は、「冷却制御手段」を構成する。
【００８８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００８９】
この発明は、地震の発生を検知し、地震に対する処理を行なう表示装置に適用される。
【図面の簡単な説明】
【００９０】
【図１】この発明の実施の形態による表示装置の概略ブロック図である。
【図２】図１に示す液晶パネル／光源部の概略図である。
【図３】図１に示す加速度センサによって検出される加速度の方向を示す図である。
【図４】図１に示す表示装置が設置された状態を示す図である。
【図５】地震の発生を検知する方法を説明するための図である。
【図６】図１に示す表示装置における動作を説明するためのフローチャートである。
【符号の説明】
【００９１】
１  入力端子、２  ＡＤＣ回路、３  映像信号処理回路、４  ドライバ、５  マイコン、６  液晶パネル／光源部、７  光学系、８  加速度センサ、９  ファン、１０  表示装置、１０Ａ  裏面、１０Ｂ  上面、１１，１２  スイッチ、２０  机面、６１  光源、６２  電源、６３  光分離部、６４〜６６  液晶パネル、６７  光結合部。
【図１】
2006284626.tif 000003
【図２】
2006284626.tif 000004
【図３】
2006284626.tif 000005
【図４】
2006284626.tif 000006
【図５】
2006284626.tif 000007
【図６】
2006284626.tif 000008